(57)【要約】【課題】  解決しようとする問題点は、牛乳受けのように容易に容器の上面にある上蓋を開閉できる保冷容器において、容器内に置かれた牛乳等への異物混入等が行われた場合でも該受取人が事前に開封確認や安全確認ができない問題、また開封確認テープによって生じていたテープ剥がしの手間やゴミ処理の問題を解決することである。【解決手段】  本発明は、スプリングの間を差込針を押圧することでスプリングの間を押し広げるスプリング押し広げ手段と、押し広げたスプリングに前記差込針を通しタグ取付機でスプリングの間にタグの封止ピンを差し込むタグ差込手段とからなる開封確認機構を容器の鍔部に備えた宅配用保冷箱と、前記宅配用保冷箱を載置する脚とからなることを特徴とする開封確認機構及びそれを利用した宅配用保冷箱等の構成とした。【選択図】  図１
2006143311.tif 000002
【特許請求の範囲】
【請求項１】
スプリングの間を差込針を押圧することでスプリングの間を押し広げるスプリング押し広げ手段と、押し広げたスプリングに前記差込針を通しタグ取付機でスプリングの間にタグの封止ピンを差し込むタグ差込手段とからなることを特徴とする開封確認機構。
【請求項２】
前記開封確認機構は、タグ差込手段によってタグを差し込んだ後に差込針を抜く差込針抜き手段と、差込針抜き手段の後に前記スプリングの戻し圧でスプリングを縮め、一度抜いたタグが再度スプリングのバネの隙間に差し込むことができないタグ係止手段とからなることを特徴とする請求項１項に記載の開封確認機構。
【請求項３】
引っ張りバネ等からなるスプリングからなる前記開封確認機構を容器の鍔部に備えた宅配用保冷箱と、前記宅配用保冷箱を載置する脚とからなることを特徴とする請求項１項又は請求項２項に記載の宅配用保冷箱。
【発明の詳細な説明】
【技術分野】
【０００１】
本発明は、牛乳等の要冷蔵食品等からなる宅配等を宅配する際、配達先の箱又は箱を構成する容器、前記容器の蓋部のいずれかに開封確認機構を備えた開封確認機構及びそれを利用した宅配用保冷箱等に関する改良発明である。
【背景技術】
【０００２】
従来、配送用の箱又は容器としては、軽量で断熱性に富む発泡スチロール製や樹脂製の容器などが多数存在していた。例えば容器の一例である保冷容器は、宅配品である牛乳等の要冷蔵食品を所定の低温に保冷するドライアイス等の保冷剤と一緒に収納し、前記配達先の玄関先まで配達を行っていた。
【０００３】
ところが、配達先の玄関等に該保冷容器又は食品等を容器ごと置いたままの状態にした場合や、鍵や保冷機能等を持たない牛乳受け等に前記牛乳等の要冷蔵食品等の宅配品を置いた場合には、比較的容易に上蓋を開けることができるため、宅配品への異物混入等が行われた場合でも該受取人が事前に開封確認や安全確認等ができない問題がある。
【０００４】
また箱又は容器の蓋部分の外周にかけて開封確認テープを貼付する場合もあるが、開封確認テープを貼付すること、前記開封確認テープを剥がすことのそれぞれに手間がかかりかつ、剥がしたテープはかさばるゴミとなるため、後のゴミ処理の問題もある。
【０００５】
更に特許文献１に記載した「保冷式宅配受け」のように、開口部を有する断熱箱と、断熱箱の開口部を開閉可能に覆う開閉部材と、断熱箱の内部を区画する着脱自在な仕切りと、区画された各室に冷却量に応じて出し入れ可能に配置された蓄冷材とから成る保冷式宅配受けがあるが前記「保冷式宅配受け」は、容量も大きく、蓄冷材を逆コ字状に屈曲し、断熱箱内部に設けているため設置スペースを確保できないという問題もある。
【特許文献１】特開平２−１０１３６５号公報
【発明の開示】
【発明が解決しようとする課題】
【０００６】
解決しようとする問題点は、牛乳受けのように容易に容器の上面にある上蓋を開閉できる保冷容器において、容器内に置かれた牛乳等への異物混入等が行われた場合でも該受取人が事前に開封確認や安全確認ができない問題、また開封確認テープによって生じていたテープ剥がしの手間やゴミ処理の問題を解決することである。
【課題を解決するための手段】
【０００７】
本発明である開封確認機構及びそれを利用した宅配用保冷箱等は、スプリングの間を差込針を押圧することでスプリングの間を押し広げるスプリング押し広げ手段と、押し広げたスプリングに前記差込針を通しタグ取付機でスプリングの間にタグの封止ピンを差し込むタグ差込手段とからなる開封確認機構を容器の鍔部に備えた宅配用保冷箱と、前記宅配用保冷箱を載置する脚とからなることを主な特徴とする。
【発明の効果】
【０００８】
本発明は、以下の効果を得ることができる。
第１に、配達先の玄関等に当該保冷容器又は食品等を容器ごと置いたままの状態にした場合や牛乳受けに要冷蔵食品の宅配品を置いた場合でも、前記宅配品に対して異物混入等があったかどうかの開封確認を当該荷物の受取人が容易に行うことができる。
【０００９】
第２に、第三者が悪意でタグを引き抜いた場合、開封確認機構を構成するスプリングが戻り圧によって元の大きさに縮み、タグを再度スプリングの間に差込できないため当該荷物の受取人だけが宅配用保冷箱の開封確認を容易に行うことができる。
【００１０】
第３に別のタグ取付機を使用して再度同一のタグを打ち込もうとしてもタグの札が宅配業者等の専用の商号等を付すことが可能であり、更にタグの形状を個々の宅配用業者用等に変更することができるので、タグそのものが識別機能を有することができる。
【００１１】
第４に開封確認機構及びそれを利用した宅配用保冷箱等では、長さ４ｃｍ足らずのタグを使用し、ハサミ等を使用してタグの封止ピン等を切断しないため、外したタグがかさばることなく後のゴミ処理の問題も容易に解決することができる。
【００１２】
第５に、前脚の高さを７０ｃｍ前後とすることで、宅配用保冷箱の上蓋をかがんで開閉する必要がないため、足腰の弱い老人でもかがむことなく楽に本発明である宅配用保冷箱を開けて要冷蔵食品の取り出しを行うことができる。
【発明を実施するための最良の形態】
【００１３】
受取人が容易に容器の開封確認ができるようにする目的を、タグを引っ張りバネ等からなるスプリングを備えた宅配用保冷箱と、前記タグの開封を容易に行うと共に前記宅配用保冷箱を載置する脚とすることで、当該荷物の受取人だけがタグを抜き取り宅配用保冷箱の開封確認を容易に可能とした。
【実施例１】
【００１４】
以下、添付図面に基づき本発明である開封確認機構及びそれを利用した宅配用保冷箱等について詳細を説明する。図１は本発明である開封確認機構及びそれを利用した宅配用保冷箱等と脚の正面図、図２は本発明を構成する開口後の宅配用保冷箱と脚の正面図、図３は本発明を構成する宅配用保冷箱と封印前のタグ取付機の正面図、図４は本発明を構成する宅配用保冷箱と封印中のタグ取付機の正面図、図５は本発明である開封確認機構及びそれを利用した宅配用保冷箱等の拡大正面図、図６は本発明を構成する宅配用保冷箱と封印後のタグ取付機の正面図である。
【００１５】
また、図７は本発明を構成する宅配用保冷箱と封印後の正面図、
図８は本発明を構成する宅配用保冷箱に取り付けたタグを手で外した後の左側面図、
図９は本発明を構成する宅配用保冷箱に取り付けたタグを宅配用保冷箱の上蓋で直接    外す場合の左側面図、図１０は本発明を構成する宅配用保冷箱から、要冷蔵食品を取り出す左側面図である。
【００１６】
図１１は本発明を構成する宅配用保冷箱にタグを取り付ける場合からタグを取り外す場合までの流れを示したフローチャートに基づいた図面である。以下、各図面毎に詳細を記載する。
【００１７】
図１から図６に示したように本発明を構成する宅配用保冷箱１は、要冷蔵食品の開封確認を行うことができるタグ１３を上蓋２から容器３の上部にタグ取付機１１で挿通し、タグ１３を手等で外した後は再度タグ１３を再び挿入できないようにした引っ張りバネ等からなるスプリング５ｆ等からなる開封確認機構５を前記容器３の鍔部３ｂと留め板３ｃとの間に備えた宅配用保冷箱１と、前記宅配用保冷箱１のタグ１３の開封を容易に行うと共に宅配用保冷箱１を載置する脚９と、宅配用保冷箱１にタグ１３を取り付けるタグ取付・取外手段１ａからなることを特徴とする。
【００１８】
宅配用保冷箱１は、市販の容器を加工したもので上蓋２と、前記上蓋２が密着し、中の冷気が逃げないようにした容器３とからなり、宅配を行う配達員が要冷蔵食品（図示せず）を入れる前の状態を示したものである。
【００１９】
上蓋２は、タグ１３を挿通するための挿通孔２ｇを、上蓋２の嵌合部２ａの鍔部２ｂに設けている。また前記鍔部２ｂには鍵穴２ｆを予め設けており、状況に応じて南京錠等を取り付けることができる。
【００２０】
容器３は、上蓋２を挿通したタグ１３を係止するスプリング５ｆを備えた開封確認機構５を容器３上部の鍔部３ｂの正面の位置の留め板３ｃに内設していることを特徴とする。
前記スプリング５ｆは、引っ張りバネ等からなり、材質はステンレス鋼材、右巻、左巻問わず、外経となる短手方向の長さは、２．０ｃｍから４．０ｃｍ、好ましくは３．０ｃｍ
自由長となる長手方向の長さは、２．０ｃｍから４．０ｃｍ、好ましくは２．４ｃｍ
とからなることを特徴とする。
【００２１】
なお、スプリング５ｆの広がり若しくは、スプリング５ｆの間の隙間となるバネピッチは、０．１ｍｍから２．０ｍｍとし、タグ１３のストッパー１３ｃの厚みにより異なるバネピッチのスプリング５ｆに変更することができる。
【００２２】
また鍔部３ｂは、正面に前記留め孔２ｅと嵌合する凸部３ｅを設けた留め板３ｃ、前記鍵穴２ｆと挿通する鍵穴３ｆ、そして本発明の特徴であるタグ１３を挿通する挿通孔２ｇと挿通する挿通孔３ｇ、そして底面に略Ｌ字状の脚３ａを有していることを特徴とする。
【００２３】
なお、容器３内部には、牛乳等の要冷蔵食品を所定の低温に保冷するドライアイス等の保冷剤を収納する若しくは、駆動電源を確保して、容器３内部に冷気を発生する市販品のプレート型の冷却器を備えてもよい。
【００２４】
脚９は、正面形状が略凹状の前脚９ｃと、前記前脚９ｃの頂点で前記宅配用保冷箱１を載置する箱受９ｂと、前記箱受９ｂと連結し脚全体を支持し、略三角フラスコ状となる後脚９ｄと、前記後脚９ｄから垂直方向に伸び、前記宅配用保冷箱１の背面を支えるフレーム９ａとからなることを特徴とする。
【００２５】
図２に示したのは、配達員が要冷蔵食品１４を入れる前の段階を示した状態である。
図２に示したように上蓋２は、容器３と蝶番状になった接続部４で開閉可能に接続され、上蓋２及び容器３の内部に発泡スチロール等からなる断熱材をそれぞれ有している。よって、要冷蔵食品１４の保冷効果を上げることが可能である。
【００２６】
そして図３に示したように配達員が要冷蔵食品１４を容器３内部に入れ終えた後、前記上蓋２を閉め、上蓋２の上部からタグ取付機１１でタグ１３を取り付ける仕組みである。タグ取付機１１は、本体１１ａと、前記本体１１ａに一体化しタグ１３を打ち込む時に握る操作レバー１１ｂと、本体１１ａの先端に取り付けた差込針１２とからなり、タグ１３を本体１１ａの上部に装填し、操作レバー１１ｂを握ることで送り部１１ｃからタグ１３が送られ、差込針１２の先端までタグ１３を送ることができる。
【００２７】
図４は本発明を構成する宅配用保冷箱と封印中のタグ取付機の正面図、図５はタグ取付機１１でタグ１３を宅配用保冷箱１に取り付ける時の拡大正面図である。配達員は挿通孔２ｇの上部からタグ取付機１１の差込針１２が挿通孔２ｇ、３ｇ及び開封確認機構５を構成するスプリング５ｆに対して垂直になるように押圧しながら差し込み、タグ取付機１１でタグ１３を打ち込む仕組みである。
【００２８】
図５に示したのは、本発明を構成する宅配用保冷箱の蓋の開封確認機構である開封確認機構５であり、箱状の容器５ａの内壁に密着するように収納した引っ張りバネからなるスプリング５ｆと、前記スプリング５ｆの間を挿通するタグ取付機１１の差込針１２と、タグ取付機１１によって前記スプリング５ｆの間に起立して設けたタグ１３とからなる。
【００２９】
また図５の下部に示したように前記開封確認機構５は、スプリング５ｆにタグ１３を差込むための手段を有しており、宅配用保冷箱１のように上蓋２と容器３とからなる箱体の開封確認手段を構成する開封確認機構５は、スプリング５ｆ（１）の間となるバネの隙間５ｅにタグ取付機１１の差込針１２を押圧することでスプリング５ｆの間を押し広げる（２）スプリング押し広げ手段と、押し広げたスプリング５ｆの隙間５ｅに前記差込針１２を通しタグ取付機１１の操作レバー１１ｂを握ることでスプリング５ｆの間にタグ１３の封止ピン１３ｂが挿通するように差し込む（３）タグ差込手段と、前記タグ差込手段によってタグ１３を差し込んだ後に差込針１２を抜く（４）差込針抜き手段と、差込針抜き手段の後にスプリング５ｆの間をタグ１３を構成するストッパー１３ｃが挿通すると共に前記スプリング５ｆの戻し圧でスプリング５ｆを縮め、一度抜いたタグ１３が再度スプリング５ｆのバネの隙間５ｅに差し込むことができないようにし、前記タグを構成する封止ピン１３ｂが起立するように設けた（５）タグ係止手段とからなることを特徴とする。
【００３０】
そして図６に示したように、宅配用保冷箱１の上部の上蓋２から容器３のスプリング５ｆにタグ取付機１１によってタグ１３の取り付けを完了し、前記タグ取付機１１の差込針１２を前記挿通孔２ｇから取り外すことで配達員の作業が終了となる。次に図７から図１０まで本発明である宅配用保冷箱から、要冷蔵食品を取りだすまでの各工程について詳細を説明する。
【００３１】
図７に示したように、配達を受けた先の住人は要冷蔵食品を取り出す前に、タグ１３を取り出す作業から開始する。タグ１３を取り出す前に、先ず、取出人は、宅配用保冷容器１を載置した脚９の前脚９ｃの底軸の部分に対し足先８ａ若しくは土踏まずで前脚９ｃを押さえ前記前脚９ｃを固定する。
【００３２】
そして、図８に示したように、住人は要冷蔵食品を取り出すために、足先８ａで前脚９ｃを押さえながら上蓋２上部のタグ１３を手８でつまんで取り外すことができる。タグ１３をスプリング５ｆから一旦取り外した後は、スプリング５ｆの縮み圧により、隙間５ｅを有していない元の形状に戻り、タグ１３を構成するストッパー１３ｃが戻り圧によって元の大きさに縮み、再度スプリング５ｆにタグ１３を押し込むことができない仕組みである。タグ１３の詳細な構造は図１２で説明する。
【００３３】
なお図９に示したように、上蓋２の上部からタグ１３をつまんで取り外す以外の方法として、タグ１３が前記上蓋２に付いたまま上蓋２を直接、手で持ち上げ、タグ１３を取り外すことも可能である。この場合も前記スプリング５ｆに対し、再度タグ１３を差し込むことができない仕組みである。
【００３４】
図９及び図１０に示したようにタグ１３の取り外しが終了した後は、要冷蔵食品１４を取り出すことができる。よって、タグ１３は配達先の受取人にとって、開封確認の手段と、異物混入等を防止することができる。次に図１１では本発明である宅配用保冷箱１にタグ１３を取り付けから取り外すまでの各工程について詳細を説明する。
【００３５】
図１１に示したように本発明である宅配用保冷容器１はタグ取付・取外手段１ａでタグ１３の取付・取外を行うができ、、前記タグ取付・取外手段１ａは、容器に要冷蔵食品の収納Ｓ１手段と、上蓋閉めＳ２手段と、タグピン打ち込みＳ３手段と、タグピンの確認Ｓ４手段と、脚へ足先をかけるＳ５手段と、タグピン抜き取りＳ６手段と、上蓋開けＳ７手段と容器から要冷蔵食品の取出Ｓ８手段とからなることを特徴とする。
【００３６】
次に、図１２で本発明を構成する宅配用保冷箱の蓋部分に設けた開封確認機構と、図１３で本発明を構成する宅配用保冷箱の蓋部分に設けた開封確認機構にタグを打ち込むタグ取付機について詳細を説明する。
【００３７】
図１２に示したのは、容器３等の内部に設けた開封確認機構５及び本発明で使用するタグの拡大図で、上から順に、縦断面図、平面図（Ａ）、右側面図（Ｂ）の順番に示したものである。
【００３８】
図１２に示したように本発明を構成する開封確認機構５は、コイルバネ、引っ張りスプリング５ｆ等からなり、タグ１３を係止するスプリング５ｆと、前記スプリング５ｆにタグ１３を挿入したことでスプリング５ｆの間に隙間５ｅを設け内壁に押し広がったスプリング５ｆを支える箱状の容器５ａと、前記タグ１３をスプリング５ｆの間に打ち込むタグ取付機（図示せず）とからなることを特徴とする。
【００３９】
スプリング５ｆが収縮すると隙間５ｅを有していない元のスプリング５ｆだけの形状に戻り、タグ取付機１１等を使用しなければタグ１３を構成するストッパー１３ｃを再度スプリング５ｆに押し込むことができない仕組となる。
【００４０】
また容器５ａ内部のスプリング５ｆは平面図（Ａ）に示したように、スプリング５ｆの収縮時にスプリング５ｆの左右端部の長手方向に２から５ｍｍの隙間と、スプリング５ｆの上下の短手方向に０．１から１．０ｍｍの隙間をそれぞれ設けた。スプリング５ｆの上下左右端に隙間を設けることで差込針１２をスプリング５ｆに差込むと容器５ａの内壁にスプリング５ｆが密着するように広がり、容器５ａ内部でズレを生じることがない。
【００４１】
タグ１３は、宅配業者等の商号等１３ｆを印刷等によって記載できる札１３ａと、スプリング５ｆの間に挿通する封止ピン１３ｂと、前記封止ピン１３ｂの先端に取り付けるストッパー１３ｃとからなり、前記札１３ａと封止ピン１３ｂは一体成型によって設けられている。
【００４２】
また前記タグ１３は、スプリング５ｆの間から一旦取り外すとプラスチック樹脂性のストッパー１３ｃ若しくは前記封止ピン１３ｂも折れ曲がるため、タグ１３そのものも本発明である開封確認機構を構成することができる。
【００４３】
よって第三者は、悪意で前記タグ１３を引きぬくことができず、仮に前記タグ１３を引き抜き別のタグ取付機を使用して再度同一のタグ１３を打ち込んだとしても、タグ１３の札１３ａが宅配業者専用の商号等が付されたタグ１３となっているため、当該荷物の受取人だけがタグを抜き取り開封確認を容易に行うことができる仕組みである。
【００４４】
なお、本発明を構成する開封確認機構５は、前記宅配用保冷箱１のみならず、郵便物や書類等を入れる郵便受け、宅配便等の書類等の仕分け時にプラスチック製のコンテナ等に使用する結束バンド等又は、金属製のジュラルミンケースの鍵部や海上貨物等のコンテナの封印部分にも応用することができる。
【００４５】
タグ１３を構成する封止ピン１３ｂの長手方向の長さは、１．５ｃｍから２．５ｃｍ、好ましくは１．８ｃｍあればよく、ストッパーの長さは、０．５ｃｍから、１．５ｃｍ、好ましくは０．９ｃｍあればよい。なお、札１３ａの縦の長さ及び横の長さはそれぞれ２ｃｍ、１ｃｍとするが縦・横の長さを限定しない。
【００４６】
スプリング５ｆを収納した容器５ａの壁面には貫通孔５ｂを設け、ここからネジやボルト等（図示せず）を通し、容器３の留め板３ｃの背面と容器の鍔部３ｂに囲まれたＬ字状の窪み部分にネジ止めすることで取り付けることができる。また、前記ネジやボルト等は、スプリング５ｆを収納した容器５ａに固定する部材となる。なおスプリング５ｆ及び容器５ａの取り付け位置は、前記留め板３ｃの背面に限定しない。
【００４７】
なお、図１２に示したようにタグ１３の封止ピン１３ｂを通す上蓋２の挿通孔２ｇ、容器３の挿通孔３ｇ共に、スプリング５ｆを収納した容器５ａに設けた挿通孔５ｃ、５ｄよりやや狭く孔を設けている。即ち、挿通孔２ｇ、３ｇ、５ｃ、５ｄは略八の字階段状の段差で孔を設けていることを特徴とする。
【００４８】
これは、挿通孔２ｇ、３ｇにタグ取付機１１の差込針１２を差し込む際、差込針１２の先端が多少傾斜して挿通した場合でも、スプリング５ｆの隙間５ｅに必ず挿通するように容器５ａの挿通孔５ｃ、５ｄがガイドし、タグ１３をスプリング５ｆに挿入する。
【００４９】
図１３に示したのは、本発明である宅配用保冷箱１の開封確認に使用するタグ取付機１１である。タグ取付機１１は市販品を使用する。タグ取付機１１の構造は、本体１１ａと、操作レバー１１ｂと、前記本体１１ａの先端に取り付けた差込針１２とからなり、操作レバー１１ｂを握ることで、本体１１ａの上部にセットしたタグ１３を本体内部に設けた歯車等（図示せず）からなる送り部１１ｃで、差込針１２の先端まで送る仕組みである。
【００５０】
タグ取付機１１を使用しない場合には、本体１１ａの底部に設けた針カバー１６で前記差込針１２を覆い、ストラップ１５部分を持つことで持ち運び時の安全を確保することができる。次に、宅配用保冷箱１の詳細を説明する。
【００５１】
図１４は本発明を構成する宅配用保冷箱の正面図、図１５は本発明を構成する宅配用保冷箱の左側面図、図１６は本発明を構成する宅配用保冷箱の平面図、図１７は本発明を構成する宅配用保冷箱の底面図、図１８は本発明を構成する宅配用保冷箱の背面図である。
【００５２】
図１４から図１８に示したように本発明で使用する宅配用保冷箱１の全体図である。
図１４に示したように、本発明を構成するスプリング５ｆを設けた開封確認機構５は、上蓋２と容器３との間にある取っ手２ｄと一体化した留め板２ｃの内側に取り付けている。なお、留め孔２ｅから突出した凸部３ｅは留め板３ｃの上に設けている。
【００５３】
図１５から図１８に示したように、宅配用保冷箱１は、上蓋２と容器３との間を接続部４で連結すると共に、接続部４の下部に図１に示した脚９の先端に取り付けるための支え板３ｈ及び、脚９の先端を挿通できる取付孔３ｄを設けている。
【００５４】
図１９は本発明を構成する宅配用保冷箱の上蓋を開口した斜視図、図２０は本発明を構成する宅配用保冷箱の容器を外した分解斜視図である。
【００５５】
図１９に示したように本発明である宅配用保冷箱１は、配達員が要冷蔵食品１４を予め配達先の設置した宅配用保冷箱１に要冷蔵食品を入れる前の空箱の状態を示した状態であり、図１９に示したように上蓋２の内部に押止リング７で係止した発泡スチロール等からなる中箱蓋６と、容器３の内部に前記中箱蓋６と同様の材質の発泡スチロール等からなる中箱６ａを有している。
【００５６】
図２０に示したように発泡スチロール等の断熱材である中箱蓋６、中箱６ａ共に着脱が可能である。よって、前記中箱６ａの内部に汚れが生じた場合でも中箱を６ａ取りだし、洗浄を行うこともできるため衛生面にも優れている。次に図２１から図２６で、本発明の宅配用保冷箱１に使用する脚の第１実施例、第２実施例に分けて詳細を説明する。
【００５７】
図２１は本発明を構成する宅配用保冷箱を載置する脚の正面図、図２２は本発明を構成する宅配用保冷箱を載置する脚の左側面図、図２３は本発明を構成する宅配用保冷箱を載置した脚の背面図である。
【００５８】
図２１に示したのは宅配用保冷箱１を１段だけを載置する脚９であり、前脚９ｃと、前記前脚９ｃの頂点で前記宅配用保冷箱１を載置する箱受９ｂと、前記箱受９ｂと連結した略三角フラスコ状となるする後脚９ｄと、前記後脚９ｄから垂直方向に伸び、宅配用保冷箱１の背面をボルトナット等９ｇで固定できる挿通孔９ｆを備えたフレーム先端９ｅとからなることを特徴とする。
【００５９】
図２１から図２３に示した前脚９ｃ及び後脚９ｃ共に、足をかける地面等への接地部分は管状になったフレームが窄んで平坦な板状になっており、脚９の安定性を図ると共に、前脚９ｃから箱受９ｂまでの高さを成人男性、女性問わず、６０ｃｍから７０ｃｍの間に設定したことを特徴とする。なお、前脚９ｃの高さは６０ｃｍから７０ｃｍと限定せず、老若男女問わず膝から足先＋１０ｃｍ程の高さとすればよい。
【００６０】
前脚９ｃの高さを７０ｃｍ前後とすることで、宅配用保冷箱１の上蓋２をかがんで開閉する必要がないため、足腰の弱い老人でもかがむことなく楽に本発明である宅配用保冷箱１を開けて要冷蔵食品の取り出しを行うことができる。
【００６１】
また、後脚９ｄから垂直方向に伸びた２本のフレームのフレーム先端９ｅ部分には、宅配用保冷箱１の背面に設けた支え板３ｈの外方からボルトナット等９ｇを前記支え板３ｈの取付孔３ｄまで挿通できる挿通孔９ｆを備えている。次に脚９の第２実施例について図２４から図２６で詳細を説明する。
【００６２】
図２４は本発明を構成する宅配用保冷箱を載置する第２実施例の脚の正面図、図２５は本発明を構成する宅配用保冷箱を載置する第２実施例の脚の左側面図、図２６は本発明を構成する宅配用保冷箱を２段に載置した第２実施例の脚の背面図である。
【００６３】
図２４から図２６に示したのは、前記図２１から図２３に示した第１実施例の脚９の第２実施例であり、本発明である宅配用保冷箱１を縦２段に重ねる様にして載置できることを特徴とする。
【００６４】
脚１０は、前記脚９と構造を同一とし、足先８ａ若しくは土踏まずで前脚１０ｃと、前記前脚１０ｃの頂点で前記宅配用保冷箱１を載置する下箱受１０ｆと、前記前脚１０ｃと一体形成し、上箱受１０ｂと連結した略三角フラスコ状となる後脚１０ｄと、前記後脚１０ｄから垂直方向に伸びたフレーム１０ａと、フレーム先端１０ｅとからなることを特徴とする。
【００６５】
またフレーム１０ａは、フレーム先端１０ｅを宅配用保冷箱１の背面に設けた支え板３ｈの取付孔３ｄに差し込めるよう上箱受１０ｂの方向に対し、内向している。そして下箱受１０ｆは、上箱受１０ｂのフレーム先端１０ｅのように固定されていないことを特徴とする。下箱受１０ｆに載置した宅配用保冷箱１の取りだしを容易にするためである。
【００６６】
よって、脚１０は、上箱受１０ｂに載置した場合、前脚１０ｃを足先等で固定しながら
宅配用保冷箱１のタグを取り外すことができると共に、下箱受１０ｆに宅配用保冷箱１を載置した場合には、前記上箱受１０ｂ同様に、前脚１０ｃを足先で固定しつつ、宅配用保冷箱１を手前にたぐり寄せ、上蓋２を開閉し、中の要冷蔵食品１４を簡単に取り出すことができる。
【００６７】
なお図２７は本発明を構成する宅配用保冷箱の蓋部分に設けた第２実施例のタグの正面図、図２８は本発明を構成する宅配用保冷箱を構成する第２実施例のタグの右側面図、図２９は本発明を構成する宅配用保冷箱の蓋部分に設けた第３実施例のタグの正面図である。
【００６８】
図２７から図２８に示したタグ１３ｄの特徴は、タグ１３ｄの札１３ｅ部分が切り込みを有したリング状になったことを特徴とするものである。この切り込みには、予めパンチ等（図示せず）で孔を開けたメモ等１３ｈを挟むことができる仕組みである。
【００６９】
メモ等１３ｈの記載内容は、通常の要件等を記載するメモのみならず、前記図１２に示したタグ１３の札１３ａ同様に宅配業者専用の商号等を付し、識別力を有することができる。なお、札１３ｅと一体成型した封止ピン１３ｇ及びストッパー１３ｃは、前記タグ１３と同一の材料とし、前記封止ピン１３ｇの形状は自由変更できるものとする。
【００７０】
また図２９に示したタグ１３ｉのように札１３ｊを中空のリング状にし、札１３ｊのリングを中指と親指でつまむようにひっかけて持ち上げることで、本発明である宅配用保冷箱１からタグ１３ｉを容易に取り外すことができると共に、宅配用保冷箱１の上蓋２の開閉をより簡単に行うことができる。
【００７１】
なお、前記タグ１３ｄ、１３ｉ共に、図１２に示したタグ１３と異なり、タグ１３その物がねじれやよれを発生することことがないため、タグ１３ｄ、１３ｉは全体の強度を上げることができる。
【図面の簡単な説明】
【００７２】
【図１】本発明である開封確認機構及びそれを利用した宅配用保冷箱等と脚の正面図で          ある。
【図２】本発明を構成する開口後の宅配用保冷箱と脚の正面図である。
【図３】本発明を構成する宅配用保冷箱と封印前のタグ取付機の正面図である。
【図４】本発明を構成する宅配用保冷箱と封印中のタグ取付機の正面図である。
【図５】本発明である開封確認機構及びそれを利用した宅配用保冷箱等の拡大正面図で          ある。
【図６】本発明を構成する宅配用保冷箱と封印後のタグ取付機の正面図である。
【図７】本発明を構成する宅配用保冷箱と封印後の正面図である。
【図８】本発明を構成する宅配用保冷箱に取り付けたタグを手で外した後の左側面図で          ある。
【図９】本発明を構成する宅配用保冷箱に取り付けたタグを宅配用保冷箱の上蓋で直接          外す場合の左側面図である。
【図１０】本発明を構成する宅配用保冷箱から、要冷蔵食品を取り出す左側面図である。
【図１１】本発明を構成する宅配用保冷箱にタグを取り付ける場合からタグを取り外す          場合までの流れを示したフローチャートである。
【図１２】本発明を構成する宅配用保冷箱の蓋部分に設けた開封確認機構である。
【図１３】本発明を構成する宅配用保冷箱の蓋部分に設けた開封確認機構にタグを打ち込          むタグ取付機である。
【図１４】本発明を構成する宅配用保冷箱の正面図である。
【図１５】本発明を構成する宅配用保冷箱の左側面図である。
【図１６】本発明を構成する宅配用保冷箱の平面図である。
【図１７】本発明を構成する宅配用保冷箱の底面図である。
【図１８】本発明を構成する宅配用保冷箱の背面図である。
【図１９】本発明を構成する宅配用保冷箱の上蓋を開口した斜視図ある。
【図２０】本発明を構成する宅配用保冷箱の容器を外した分解斜視図である。
【図２１】本発明を構成する宅配用保冷箱を載置する脚の正面図である。
【図２２】本発明を構成する宅配用保冷箱を載置する脚の左側面図である。
【図２３】本発明を構成する宅配用保冷箱を載置した脚の背面図である。
【図２４】本発明を構成する宅配用保冷箱を載置する第２実施例の脚の正面図である。
【図２５】本発明を構成する宅配用保冷箱を載置する第２実施例の脚の左側面図である。
【図２６】本発明を構成する宅配用保冷箱を２段に載置した第２実施例の脚の背面図          である。
【図２７】本発明を構成する宅配用保冷箱の蓋部分に設けた第２実施例のタグの正面図で          ある。
【図２８】本発明を構成する宅配用保冷箱を構成する第２実施例のタグの右側面図          である。
【図２９】本発明を構成する宅配用保冷箱の蓋部分に設けた第３実施例のタグの正面図で          ある。
【符号の説明】
【００７３】
１      宅配用保冷箱
１ａ    タグ取付・取外手段
２      上蓋
２ａ    嵌合部
２ｂ    鍔部
２ｃ    留め板
２ｄ    取っ手
２ｅ    留め孔
２ｆ    鍵穴
２ｇ    挿通孔
３      容器
３ａ    脚
３ｂ    鍔部
３ｃ    留め板
３ｄ    取付孔
３ｅ    凸部
３ｆ    鍵穴
３ｇ    挿通孔
３ｈ    支え板
４      接続部
５      開封確認機構
５ａ    容器
５ｂ    貫通孔
５ｃ    挿通孔
５ｄ    挿通孔
５ｅ    隙間
５ｆ    スプリング
６      中箱蓋
６ａ    中箱
７      押止リング
８      手
８ａ    足先
９      脚
９ａ    フレーム
９ｂ    箱受
９ｃ    前脚
９ｄ    後脚
９ｅ    フレーム先端
９ｆ    挿通孔
９ｇ    ボルトナット等
１０    脚
１０ａ  フレーム
１０ｂ  上箱受
１０ｃ  前脚
１０ｄ  後脚
１０ｅ  フレーム先端
１０ｆ  下箱受
１１    タグ取付機
１１ａ  本体
１１ｂ  操作レバー
１１ｃ  送り部
１２    差込針
１３    タグ
１３ａ  札
１３ｂ  封止ピン
１３ｃ  ストッパー
１３ｄ  タグ
１３ｅ  札
１３ｆ  商号等
１３ｇ  封止ピン
１３ｈ  メモ等
１３ｉ  タグ
１３ｊ  札
１４    要冷蔵食品
１５    ストラップ
１６    針カバー
Ｓ１    容器に要冷蔵食品の収納
Ｓ２    上蓋閉め
Ｓ３    タグピン打ち込み
Ｓ４    タグピンの確認
Ｓ５    脚へ足先をかける
Ｓ６    タグピン抜き取り
Ｓ７    上蓋開け
Ｓ８    容器から要冷蔵食品の取出
【図１】
2006143311.tif 000003
【図２】
2006143311.tif 000004
【図３】
2006143311.tif 000005
【図４】
2006143311.tif 000006
【図５】
2006143311.tif 000007
【図６】
2006143311.tif 000008
【図７】
2006143311.tif 000009
【図８】
2006143311.tif 000010
【図９】
2006143311.tif 000011
【図１０】
2006143311.tif 000012
【図１１】
2006143311.tif 000013
【図１２】
2006143311.tif 000014
【図１３】
2006143311.tif 000015
【図１４】
2006143311.tif 000016
【図１５】
2006143311.tif 000017
【図１６】
2006143311.tif 000018
【図１７】
2006143311.tif 000019
【図１８】
2006143311.tif 000020
【図１９】
2006143311.tif 000021
【図２０】
2006143311.tif 000022
【図２１】
2006143311.tif 000023
【図２２】
2006143311.tif 000024
【図２３】
2006143311.tif 000025
【図２４】
2006143311.tif 000026
【図２５】
2006143311.tif 000027
【図２６】
2006143311.tif 000028
【図２７】
2006143311.tif 000029
【図２８】
2006143311.tif 000030
【図２９】
2006143311.tif 000031